【事件の表示】
　特願２００９−５１５３６６「マルチチャンネルのディジタル・ケーブル・チューナ」拒絶査定不服審判事件〔平成１９年１２月２１日国際公開、ＷＯ２００７／１４５６３７、平成２１年１１月１９日国内公表、特表２００９−５４０７４１〕について、次のとおり審決する。
【結　論】
　本件審判の請求は、成り立たない。
【理　由】
　
１．手続の経緯
　
　本願は、２００６年６月１６日を国際出願日とする出願であって、平成２３年２月３日付けで拒絶理由が通知され、平成２３年８月８日付けで手続補正がなされ、平成２３年８月２５日付けで拒絶理由が通知され、平成２４年２月１３日付けで手続補正がなされ、平成２４年３月８日付けで補正却下がされると共に同日付けで拒絶査定がされ、平成２４年７月２０日に拒絶査定不服審判が請求されると共に同日付けで手続補正がなされ、平成２５年６月４日付けで当審が拒絶理由を通知し、平成２５年１２月３日付けで手続補正がなされたものである。
　
　
２．本願発明
　
　請求項１について
　
　請求項１に係る発明は、平成２５年１２月３日付け手続補正書の特許請求の範囲の請求項１に記載された次のとおりのものと認める。（以下、「本願発明」という）
　
「装置であって、
　マルチチャネル・アナログＲＦ信号を受信するよう動作可能な入力点と、
　前記入力点に結合され、周波数帯それぞれにおけるマルチチャネル・アナログＲＦ入力信号からの複数のＲＦ信号を供給するよう動作可能な複数の増幅器・フィルタ・バンクを含む逆多重化器であって、前記周波数帯が、上側周波数帯及び下側周波数帯を含み、前記上側周波数帯及び前記下側周波数帯は周波数領域において隣接している逆多重化器と、
　前記逆多重化器に結合され、前記複数のＲＦ信号それぞれをディジタル化するよう動作可能な複数のアナログ・ディジタル変換器と、
　前記複数のアナログ・ディジタル変換器に結合され、前記複数のディジタル化されたＲＦ信号からの複数のディジタル・テレビジョン・チャンネル・コンテンツ信号を供給するよう動作可能なディジタル・チューナであって、チャンネル・セレクタ入力を有するディジタル・チューナと、
　前記ディジタル・チューナに結合され、前記複数のディジタル・テレビジョン・チャンネル・コンテンツ信号を同時に、かつ、別個に復調するよう動作可能な複数の復調器であって、
　前記ディジタル・チューナは、前記複数のディジタル・テレビジョン・チャンネル・コンテンツ信号のうちの特定数のディジタル・テレビジョン・チャンネル・コンテンツ信号を、ユーザによって選択されたチャンネルの組に関する情報に応じて前記複数のディジタル化されたＲＦ信号のうちの前記特定数のディジタル化されたＲＦ信号の部分集合として選択し、前記情報は前記チャンネル・セレクタ入力に伝達される復調器と
を備え、
　前記周波数領域における前記上側周波数帯と前記下側周波数帯との間の帯域の端部の近くにおけるＲＦ信号が、前記上側周波数帯及び下側周波数帯それぞれにおける信号として別個に、前記複数の増幅器・フィルタ・バンクのうちの２つのうちの１つそれぞれによって処理される装置。」
　
３．当審の拒絶理由
　
　一方、当審において平成２５年６月４日付けで通知した拒絶理由の概要は、本願発明は、本願の出願日前の２００５年２月１０日に頒布された特表２００５−５０４４６８号公報（以下「引用例」という）に記載された発明に基づいて当業者が容易に発明をすることができたものであるから、特許法第２９条第２項の規定により特許を受けることができない、というものである。
　
４．引用例
　
　引用例には、図６とともに、
　
「【００３０】
図6は、本発明の他の態様による例示的なマルチチャネル復調器600の簡略化された高レベル概略図である。
復調器600は、図2の復調器200と同様に動作する。この特定の態様では、周波数ブロックダウン変換器610はマルチチャネル・アナログRF信号を受信する。この信号は、衛星システム、地上TVシステム、ケーブル・システムのような様々なシステムから得ることができる。
したがって、マルチチャネル・アナログRF信号は540MHz〜750MHzであるように示されている。
図示のように、着信RF信号は、一方が540MHz〜645MHzの範囲であり、他方が645MHz〜750MHzの範囲である2つの信号群に分割される。各群は、それぞれ300MHzのADC、620aおよび620bによって処理できるように20MHz〜130MHzのより低い周波数帯域に低域変換される。
【００３１】
ADC620aおよび620bは、マルチチャネル・アナログRF信号をマルチチャネル・デジタルRF信号に変換する。デマルチプレクサ630は、マルチチャネル・デジタルRF信号を多重分離して別々のデジタルRFチャネルC1〜Cnを得る。単一のマルチチャネルRF信号は、マルチチャネルRF信号当たり複数の別々のRF信号、たとえば、35個のRFチャネルC1〜C35を有してよい。
デジタルセレクタ640は、RFチャネルC1〜Cnから1つまたは複数のRFチャネルD1〜Dmをデジタル的に選択する。
たとえば、図6には35個の別々のRFチャネルC1〜C35がある。これらのRFチャネルのうちで、20個のRFチャネルD1〜D20が選択される。これらの20個の選択されたRFチャネルは、復調用に1組の復調器650(1、、、20)に送信される。
　
の記載がある（下線は当審が付与）から、
　
「周波数ブロックダウン変換器610は、衛星システム、地上TVシステム、ケーブル・システムのような様々なシステムから得ることができる1つまたは複数のマルチチャネル・アナログRF信号を受信し、
マルチチャネル・アナログRF信号は540MHz〜750MHzであり、
着信RF信号は、一方が540MHz〜645MHzの範囲であり、他方が645MHz〜750MHzの範囲である2つの信号群に分割され、それぞれ300MHzのADC、620aおよび620bによって処理できるように20MHz〜130MHzのより低い周波数帯域に低域変換され、
ADC620aおよび620bは、マルチチャネル・アナログRF信号をマルチチャネル・デジタルRF信号に変換し、
デマルチプレクサ630は、マルチチャネル・デジタルRF信号を多重分離して別々のデジタルRFチャネルC1〜Cn、たとえば、35個のRFチャネルC1〜C35を得て、
デジタルセレクタ640は、35個の別々のRFチャネルC1〜C35から20個のRFチャネルD1〜D20をデジタル的に選択し、
20個の選択されたRFチャネルは、復調用に1組の復調器650(1、、、20)に送信する
マルチチャネル復調器600」
　
の発明（以下「引用発明」という）が引用例に記載されている。
　
５．本願発明と引用発明の対比
　
　引用発明の「540MHz〜645MHzの範囲」は、本願発明の「下側周波数帯」に、
　引用発明の「645MHz〜750MHzの範囲」は、本願発明の「上側周波数帯」に、
　引用発明の「チャネル」は、本願発明の「チャンネル」に、
　それぞれ相当する。
　
　引用発明の「周波数ブロックダウン変換器610」は、「マルチチャネル・アナログRF信号」を「様々なシステムから得る」ので「マルチチャネル・アナログRF信号」の「入力点」を有することは明らかである。
　
　引用発明の「周波数ブロックダウン変換器610」は、上記「入力点」から受信した「540MHz〜750MHz」のマルチチャネル・アナログRF信号を、「540MHz〜645MHz」と「645MHz〜750MHz」の２つの信号群に分割する機能を有しており、「540MHz〜645MHz」と「645MHz〜750MHz」はいずれもRF信号であるので、「周波数ブロックダウン変換器610」は、「入力RF信号から２つの出力RF信号を出力する手段」といえ、本願発明の「入力点に結合され、周波数帯それぞれにおけるマルチチャネル・アナログＲＦ入力信号からの複数のＲＦ信号を供給するよう動作可能な複数の増幅器・フィルタ・バンクを含む逆多重化器」も、入力RF信号から複数のRF信号を供給するので、引用発明の「周波数ブロックダウン変換器610」と本願発明の「入力点に結合され、周波数帯それぞれにおけるマルチチャネル・アナログＲＦ入力信号からの複数のＲＦ信号を供給するよう動作可能な複数の増幅器・フィルタ・バンクを含む逆多重化器」は、「入力RF信号から複数の出力RF信号を出力する手段」で共通する。
　
　引用発明における各々のRF信号の周波数帯の「540MHz〜645MHz」と「645MHz〜750MHz」が「隣接」していることは明らかである。ここで「540MHz〜645MHz」の周波数帯は「下側周波数帯」であり、「645MHz〜750MHz」の周波数帯は「上側周波数帯」であるので、「RF信号の周波数帯」は、「上側周波数帯及び下側周波数帯を含み、前記上側周波数帯及び前記下側周波数帯は周波数領域において隣接している」といえる。
　
　引用発明の「ADC620a」と「ADC620b」は、それぞれ「周波数ブロックダウン変換器610」に結合されており、２つの信号群をデジタルRF信号に変換している「アナログ・ディジタル変換器」であるので、「ADC620a」と「ADC620b」は、「前記逆多重化器に結合され、前記複数のＲＦ信号それぞれをディジタル化するよう動作可能な複数のアナログ・ディジタル変換器」である。
　引用発明の「デマルチプレクサ630」は、前記「ADC620a」と前記「ADC620b」により変換された「マルチチャネル・デジタルRF信号」すなわち「ディジタル化されたＲＦ信号」を受信して「35個のRFチャネルC1〜C35」を出力し、「デジタルセレクタ640」は、「デマルチプレクサ630」の出力すなわち「35個の別々のRFチャネルC1〜C35」から「20個のRFチャネルD1〜D20」をデジタル的に選択している。
　選択された「20個のRFチャネルD1〜D20」は「35個の別々のRFチャネルC1〜C35」の部分集合であるので、「20個のRFチャネルD1〜D20」をデジタル的に選択することは、「複数のディジタル化されたＲＦ信号のうちの前記特定数のディジタル化されたＲＦ信号の部分集合として選択し」ているといえる。
　ここで、引用発明は「地上TVシステム」のようなシステムから得るマルチチャネル・アナログRF信号を受信しているので、「デジタルRFチャネルC1〜Cn」や「20個のRFチャネルD1〜D20」はテレビのコンテンツを含んでいることは明らかであり、該「テレビのコンテンツ」は「ディジタル・テレビジョン・チャンネル・コンテンツ」といえる。
　つまり、「デマルチプレクサ630」と「デジタルセレクタ640」は、「ディジタル化されたＲＦ信号」から、「ディジタル・テレビジョン・チャンネル・コンテンツ」信号を供給するよう動作可能な「ディジタル・チューナ」といえる。
　また、「複数のRFチャネル」を選択する場合に、「チャンネルの組に関する情報」に応じて選択することは当然のことである。
　
したがって、本願発明と引用発明は、
「装置であって、
　マルチチャネル・アナログＲＦ信号を受信するよう動作可能な入力点と、
　前記入力点に結合され、入力RF信号から複数の出力RF信号を出力する手段であって、周波数帯が、上側周波数帯及び下側周波数帯を含み、前記上側周波数帯及び前記下側周波数帯は周波数領域において隣接している手段と、
　前記逆多重化器に結合され、前記複数のＲＦ信号それぞれをディジタル化するよう動作可能な複数のアナログ・ディジタル変換器と、
　前記複数のアナログ・ディジタル変換器に結合され、前記複数のディジタル化されたＲＦ信号からの複数のディジタル・テレビジョン・チャンネル・コンテンツ信号を供給するよう動作可能なディジタル・チューナであって、チャンネル・セレクタ入力を有するディジタル・チューナと、
　前記ディジタル・チューナに結合され、前記複数のディジタル・テレビジョン・チャンネル・コンテンツ信号を同時に、かつ、別個に復調するよう動作可能な複数の復調器であって、
　前記ディジタル・チューナは、前記複数のディジタル・テレビジョン・チャンネル・コンテンツ信号のうちの特定数のディジタル・テレビジョン・チャンネル・コンテンツ信号を、チャンネルの組に関する情報に応じて前記複数のディジタル化されたＲＦ信号のうちの前記特定数のディジタル化されたＲＦ信号の部分集合として選択し、前記情報は前記チャンネル・セレクタ入力に伝達される復調器と
を備える装置。」
で一致し、
　
　相違点１
　
　本願発明は、「入力RF信号から複数の出力RF信号を出力する手段」が「周波数帯それぞれにおけるマルチチャネル・アナログＲＦ入力信号からの複数のＲＦ信号を供給するよう動作可能な複数の増幅器・フィルタ・バンクを含む逆多重化器」のに対し、引用発明では、どのような構成の手段であるか記載が無い点。
　
　相違点２
　
　ディジタル・チューナが選択する際の「チャンネルの組に関する情報」について、本願発明は、「ユーザによって選択された」情報であるのに対し、引用発明では、ユーザによって選択された」かどうか記載されていない点。
　
　相違点３
　
　本願発明は、「前記周波数領域における前記上側周波数帯と前記下側周波数帯との間の帯域の端部の近くにおけるＲＦ信号が、前記上側周波数帯及び下側周波数帯それぞれにおける信号として別個に、前記複数の増幅器・フィルタ・バンクのうちの２つのうちの１つそれぞれによって処理される」のに対し、引用発明では、このような記載が無い点。
　
で相違する。
　
６．当審の判断
　
　上記相違点について検討する。
　
　相違点１について
　
　国際公開第２００６／０２３０４９号（以下「周知例」という。ファミリ文献である特表２００８−５１１２０４号公報を当審訳とする。当審訳における下線は当審が付与）には、
　
「[0002] A television (TV) or video recorder includes a television signal receiver (or television receiver) to receive terrestrial broadcast, cable television or satellite broadcast television signals and to process the television signals into the appropriate video signals for display or for recording. Television signals are transmitted in analog or digital formats and in accordance with a variety of standards .
　
[0003] The operation of a television receiver includes two main components. First, the receiver receives the incoming television signal in radio frequency (RF) and converts the incoming RF signal to an intermediate frequency (IF) signal. Then, the receiver converts the IF signal to a video baseband signal and an audio baseband signal. The baseband signals are coupled to appropriate video and audio decoders to generate the display video signals (e.g. RGB) or sound. To accomplish this, a television receiver typically includes a tuner module for performing the frequency- conversion operation to generate the IF signal. The television receiver also includes a channel filter and a demodulator for converting the IF signal to video and audio baseband signals.
　
[0004] The tuner module in a television receiver receives the input RF signal from the RF connector and converts the RF signal to an IF signal by one or more frequency conversions. The frequency conversions are generally implemented as single or dual super-heterodyne conversions. Figure 1 is a schematic diagram of a conventional tuner module for a television receiver. Referring to Figure 1, tuner module 10 includes a band selection filter 14 for selecting separate frequency bands of the complete transmission spectrum. Band selection filter 14 is typically formed using a bank of band pass filters (14a, 14b and 14c) , each for tuning a preassigned frequency band. Each band pass filter (14a, 14b and 14c) is coupled to a respective variable amplifier 24 and then to a respective notch filter 26 for image rejection, thereby forming multiple signal paths.
　
[0005] In the present illustration, the transmission spectrum is split into three bands: a high frequency band, such as the UHF band in 400-700 MHz, a mid frequency band, such as the VHF band in 200-400 MHz, and a low frequency band in 50-200 MHz. Thus, three band pass filters are used and three signal paths including notch filters for the respective frequency bands are formed in tuner module 10. The band selected and filtered RF signals from the three signals paths are coupled to an integrated circuit 16 that incorporates the mixer, the oscillator and the phase-locked loop (PLL) circuits. Typically, a mixer circuit is provided to each band selected and filtered RF signal that is generated at each signal path. Integrated circuit 16 processes the band selected signals into the IF signal.」（１頁１４行〜２頁２１行）
　
（当審訳：【０００２】
　
テレビジョン受像機（ＴＶ）やビデオレコーダは、地上波放送テレビジョン信号、ケーブルテレビジョン信号または衛星放送テレビジョン信号を受信し、表示または録画に適合したテレビジョン信号の形に信号処理するテレビジョン信号受信機（またはテレビジョン受信機）を備える。
【０００３】
　テレビジョン受信機の動作には二つの主要部分がある。まず、テレビジョン受信機は無線周波数（ＲＦ）の入来テレビジョン信号を受信してその入来ＲＦ信号を中間周波数（ＩＦ）信号に変換する。次に、受信機はそのＩＦ信号をビデオベースバンド信号およびオーディオベースバンド信号に変換する。これらのベースバンド信号を適切なビデオデコーダおよびオーディオデコーダに加えて表示用ビデオ信号（例えばＲＧＢ）および音声信号を生ずる。そのために、テレビジョン受信機は、通常、ＩＦ信号発生のための周波数変換動作を行うチューナモジュールを備える。また、テレビジョン受像機は、そのＩＦ信号をビデオベースバンド信号およびオーディオベースバンド信号に変換するチャネルフィルタおよび復調器を備える。
【０００４】
　テレビジョン受信機の中のチューナモジュールはＲＦコネクタからの入力ＲＦ信号を受けてそのＲＦ信号を一段または二段周波数変換によりＩＦ信号に変換する。この周波数変換は、通常は、一段または二段スーパーへテロダイン周波数変換で行う。
図１はテレビジョン受信機用の慣用のチューナモジュールの概略的ブロック図である。図１を参照すると、このチューナモジュール１０は送信信号スペクトラム全体から別々の周波数帯域を選択する帯域選択フィルタ１４を備える。帯域選択フィルタ１４は、通常は、予め割り当てられた複数の周波数帯域にそれぞれ同調した帯域フィルタ（１４ａ、１４ｂおよび１４ｃ）のバンクを用いて構成する。それら帯域フィルタ（１４ａ、１４ｂおよび１４ｃ）を対応の可変利得増幅器２４にそれぞれ接続し、対応のノッチフィルタ２６にそれぞれ接続して複数の信号経路を形成する。
【０００５】
　ここに図解した事例では、送信信号スペクトラムを三つの周波数帯域、すなわち、４００−７００ＭＨｚのＵＨＦ帯などの高い周波数帯域、２００−４００ＭＨｚのＶＨＦ帯などの中程度の周波数帯域、および５０−２００ＭＨｚ程度の低い周波数帯域に分けている。これら三つの帯域フィルタを用い、それぞれの周波数帯域のノッチフィルタを含む三つの信号経路をチューナモジュール１０の中に形成する。これら三つの信号経路からの選択ずみ・フィルタ処理ずみのＲＦ信号を集積回路１６，すなわちミキサ回路、発振器および位相同期ループ（ＰＬＬ）回路を含む集積回路１６に加える。ミキサ回路は、通常は、上記三つの信号経路でそれぞれ発生した選択ずみ・フィルタ処理ずみＲＦ信号の各々に対して設けてある。集積回路１６は上記帯域選択ずみの信号をＩＦ信号の形に信号処理する。）
　
　の記載があるから、
　
「地上波放送テレビジョン信号、ケーブルテレビジョン信号を受信するテレビジョン受信機用の慣用のチューナモジュールにおいて、
　送信信号スペクトラム全体から別々の周波数帯域を選択する帯域選択フィルタ１４を備え、帯域選択フィルタ１４は、通常は、予め割り当てられた複数の周波数帯域にそれぞれ同調した帯域フィルタのバンクを用いて構成し、
　帯域フィルタを対応の可変利得増幅器２４にそれぞれ接続し、対応のノッチフィルタ２６にそれぞれ接続して複数の信号経路を形成する」こと
　
　が周知例に記載されている。
　
　引用発明の「入力RF信号から複数の出力RF信号を出力する手段」も、入力信号の周波数帯を２つの周波数帯に分割して複数のRF信号を出力し、複数の信号経路を形成する回路であるから、周知例のように「フィルタ・バンク」と「複数の増幅器」を用いた構成、すなわち「周波数帯それぞれにおけるマルチチャネル・アナログＲＦ入力信号からの複数のＲＦ信号を供給するよう動作可能な複数の増幅器・フィルタ・バンクを含む逆多重化器」とすることは容易である。
　
　相違点２について
　
　デジタルテレビのチャンネル選択をユーザが行うことは一般的であり、引用発明における「チャンネルの組」についても「ユーザによって選択」された結果とすることは容易である。
　
　相違点３について
　
　現実のフィルタが理想的なフィルタ特性を有しないことは技術常識であるから、引用発明におけるフィルタについても、理想的なフィルタ特性とすることができないことは当然であり、分割される周波数範囲の端部が両方の信号群に含まれ処理されることは一般的なことに過ぎない。
　
　そして、本願発明のように構成したことによる効果も引用発明及び周知技術から予測できる範囲のものである。
　したがって、本願発明は、引用発明に基いて容易に発明をすることができたものである。
　
７．むすび
　
　以上のとおりであるから、本願発明は、特許法第２９条第２項の規定により特許を受けることができない。
　したがって、他の請求項について論及するまでもなく、本願は拒絶すべきものである。
　よって、結論のとおり審決する。